(57)【要約】【課題】使用済みのカーペットタイルを床面から剥ぎ取り、再生処理工程に効率的に供給出来、且つ、作業者の付加を軽減し、工事コストを低減する事が可能なタイルカーペットの剥取り収納装置を提供する。【解決手段】複数個の車輪部２を有する走行車両本体部５を有し、車輪部２の少なくとも１つが、円盤状或いは円筒状の回転体部６で構成されたものであり、回転体部６の表面上にはタイルカーペット剥取り手段７が設けられ、タイルカーペット剥ぎ取り手段７に連続して、床面３から離反せしめられたタイルカーペット４を分離する分離手段８、分離手段８によって回転体部６から離反せしめられたタイルカーペット４を回転体部６の回転方向に沿って所定の角度で上昇する所定の長さを持った傾斜部９を有するタイルカーペット昇高案内手段１０、タイルカーペット昇高案内手段１０に近接して設けられたタイルカーペット収納容器１１とから構成されているタイルカーペットの剥取り収納装置１。【選択図】図１
2010222851.tif 000002
【特許請求の範囲】
【請求項１】
複数個の車輪部を有し、床面上或いはタイルカーペット表面上を走行しうる走行車両本体部、
当該車輪部の少なくとも１つが、当該タイルカーペットの単位長の少なくとも半分の長さの周長を有する円盤状或いは円筒状の回転体部で構成されており、
当該回転体部の表面上に設けられており、床面上に敷設されているタイルカーペットを、当該回転体部の回転に伴って、床面から離反させる機能を有するタイルカーペット剥取り手段、
当該タイルカーペット剥ぎ取り手段から、当該床面から離反せしめられた当該タイルカーペットを分離する分離手段、
当該回転体部に近接して設けられている、当該分離手段によって当該回転体部から離反せしめられた当該タイルカーペットを当該回転体部の回転方向に沿って所定の角度で上昇する所定の長さを持った傾斜部を有するタイルカーペット昇高案内手段、
当該タイルカーペット昇高案内手段に於ける、当該回転体部に近接する端部とは反対側の端部に近接して設けられており、且つ当該タイルカーペット昇高案内手段から排出されるタイルカーペットを順次に積層格納するタイルカーペット収納容器、及び
当該タイルカーペット収納容器を保持するためのタイルカーペット収納容器保持手段、
とから構成されており、
当該カーペット剥取り手段、当該分離手段、当該タイルカーペット昇高案内手段及び当該収納容器保持手段と、が当該走行車両本体部に直接的或は間接的に接続されて配置されている事を特徴とするタイルカーペットの剥取り収納装置。
【請求項２】
当該走行車両本体部は、枠状体部で構成されている事を特徴とする請求項１に記載のタイルカーペットの剥取り収納装置。
【請求項３】
当該走行車両本体部は、適宜の駆動手段が搭載されそれによって当該走行車両本体部が自走可能に構成されている事を特徴とする請求項１又は２に記載のタイルカーペットの剥取り収納装置。
【請求項４】
当該タイルカーペット剥取り手段は、当該回転体部の周長方向の全表面に配置されており、当該タイルカーペット剥ぎ取り手段は、当該タイルカーペットのループパイルと係合しうるフック状部を先端部に有する複数本のパイルを植設した布帛体で構成されている事を特徴とする請求項１乃至３の何れかに記載のカーペットの剥取り収納装置。
【請求項５】
当該タイルカーペット剥取り手段は、当該回転体部の幅方向に沿って全面に若しくはその一部に設けられている事を特徴とする請求項４記載のタイルカーペットの剥取り収納装置。
【請求項６】
当該分離手段は、当該タイルカーペット剥取り手段によって床面から剥離され、当該タイルカーペット剥取り手段の当該回転体部の回転に従って当該床面から持ち上げられた当該タイルカーペットを当該タイルカーペット剥取り手段から分離させる為に、当該タイルカーペット剥取り手段の当該円盤状若しくは円筒状の回転体部の表面に近接して配置された板状のブレード部で構成されている事を特徴とする請求項１乃至５の何れかに記載のタイルカーペットの剥取り収納装置。
【請求項７】
当該回転体部が複数個の円盤状回転体部で構成されている場合には、当該分離手段は、当該円盤状回転体部の表面に近接して配置された板状のブレード部と当該複数個の円盤状回転体部間に形成された空間部内に延展して設けられた補助分離板とから構成されている事を特徴とする請求項６に記載のタイルカーペットの剥取り収納装置。
【請求項８】
当該タイルカーペット昇高案内手段は、当該分離手段に近接して配置されており、当該分離手段によって当該回転体部から離反せしめられた当該タイルカーペットを当該回転体部の回転方向に沿って所定の角度で上昇する所定の長さを持った傾斜部は、平板、複数個の積極的に回転する回転ローラ若しくは自由回転式ローラが相互に並列配置された面、或いは、コンベア式ベルトから選択された一つで構成された平面部を有する事を特徴とする請求項１乃至７の何れかに記載のタイルカーペットの剥取り収納装置。
【請求項９】
タイルカーペット収納容器は、当該タイルカーペット昇高案内手段から排出される当該タイルカーペットを順次に整列状に積層しながら収納する機能を有する収納容器であって、当該収納容器は、当該カーペットタイルの形状と寸法を有する矩形の底板部と、当該底板部の周縁部に於ける４辺のそれぞれから略垂直に立設されている所定の高さを有する４枚の側壁部とから構成されるか、或いは、少なくともカーペットタイルの形状と寸法を有する矩形の底板部と、当該底板部の周縁部に於ける連続する２辺のそれぞれから当該底板部の当該台車と接触する表面とは異なる表面から略垂直に立設されている所定の高さを有する第１の側壁部と第２の側壁部とから構成されると共に、当該底板部の周縁部に於けるその他の連続する２辺には、側壁部が設けられていない様に構成されている事を特徴とするタイルカーペットの剥取り収納装置。
【請求項１０】
当該タイルカーペット昇高案内手段と当該タイルカーペット収納容器との間に、当該タイルカーペット収納容器内に当該タイルカーペットが順次に整列状に積層されるように当該タイルカーペットを案内する補助ガイドが設けられている事を特徴とする請求項１乃至９の何れかに記載のタイルカーペットの剥取り収納装置。
【請求項１１】
当該タイルカーペット昇高案内手段と当該タイルカーペット収納容器との間に、当該タイルカーペット昇高案内手段から排出される当該タイルカーペットの表裏面を反転させる為の、タイルカーペット反転手段が設けられている事を特徴とする請求項１乃至１０の何れかに記載のタイルカーペットの剥取り収納装置。
【請求項１２】
当該走行車両本体部には、当該タイルカーペット収納容器を搭載する当該タイルカーペット収納容器搭載部が設けられていると同時に、当該パイルカーペット収納容器搭載部には、当該タイルカーペット収納容器を着脱自在に保持しうる着脱自在保持手段が設けられると共に、当該走行車両本体部には、当該タイルカーペット収納容器の転倒を防止する為の当該タイルカーペット収納容器支持手段が設けられている事を特徴とする請求項１乃至１１の何れかに記載のタイルカーペットの剥取り収納装置。
【請求項１３】
当該走行車両本体部には、当該タイルカーペット収納容器に収納された当該タイルカーペットの量に応じて、当該タイルカーペット収納容器の上下方向の位置を昇降させる昇降手段を有する事を特徴とする請求項１乃至１２の何れかに記載のタイルカーペットの剥取り収納装置。
【請求項１４】
当該走行車両本体部に設けられている当該回転体部を構成する以外の当該車輪部の少なくとも１つには、当該走行車両本体部の予め定められた進行方向を維持する為の、走行方向維持調整手段が設けられている事を特徴とする請求項１乃至１３の何れかに記載のタイルカーペットの剥取り収納装置。
【発明の詳細な説明】
【技術分野】
【０００１】
本発明は、カーペットタイルの剥取り収納装置に関するものであり、更に詳しくは、既に床面に配列されている既存のタイルカーペットを当該床面から剥ぎ取り、所定の形態に収納処理する為のタイルカーペットの剥取り収納装置に関するものである。
【背景技術】
【０００２】
従来から、屋内或いは室内の床面には、保温、断熱、吸音、床面の汚れ防止或いは美的感覚付与等の為に、或いはクッション性を付与する為に、タイルカーペットを配置し、軽微な接着力を持った接着剤を介して、当該床面の全面にずれが不可能となる様に蜜に配置され、当該床面に接合固定されている。
【０００３】
処で、当該タイルカーペットは使用中に、磨り減ったり、汚れたり、変色したり、損傷したり、へたったりすることが多く、従って、当該タイルカーペットの外観形状の変化や悪化、劣化という結果を来たす事が多く、その為、長期間使用した後に新しいタイルカーペットと全面的に交換する事は頻繁に行われており、更には、当該屋内或いは室内のアレンジを変更する場合とか、当該屋内或いは室内の所有者が変わった場合には、通常、床面のタイルカーペットは、例え、未だ使用に耐える状態であったとしても、新しいタイルカーペットと交換する事が常識的となっている。
【０００４】
然しながら、既存のタイルカーペットを床面から取り外す作業は極めて重労働である。
即ち、当該タイルカーペットを床面から引き剥がす場合には、作業者がしゃがんだ状態または膝をついた状態で、接着剤で固定されている当該タイルカーペットを一枚一枚手で床面から引き剥がすが、当該接着剤の介在によって、当該剥ぎ取り操作はかなりの力を必要とする他、剥した当該タイルカーペットを予め極められた幾つかの集積場所まで、手で持って運ぶ必要がある。
【０００５】
然も、当該一枚のタイルカーペットは、その標準寸法が５００ｍｍ×５００ｍｍと規定されており、一枚のタイルカーペットの重量は、１ｋｇ以上であるが、作業効率を高める為に、通常は、３乃至４枚のタイルカーペットを同時に手で持って当該集積場所まで移動することになるが、しゃがんでは、４ｋｇ以上のタイルカーペットを持ち上げ、立ち上がり、そして移動という行動を何回も繰り返し行うことになるが、その動作そのものは単純に見えても、長期間何回も繰り返すと、作業員の足腰に係る負荷は、相当きついものとなる。
【０００６】
その為、作業員は、時々休憩を取る事が必要となっており、その結果、作業効率は低下すると共に時間の無駄も発生するという欠点があった。
一方、当該タイルカーペットの改装工事に於いては、その剥ぎ取り改装作業は、一般に、その作業工期が夕方から翌日の朝方の数時間内に限られているので、工事規模が大きい場合或いは工期時間の短縮を求められるような場合には、作業員の数を増加しなければならず、コストが増大するという問題も発生する。
【０００７】
又、一旦床面から剥取った当該タイルカーペットは、当該屋内或いは室内に於ける、予め定められた複数の場所に、ランダムに山積みされ、その後、作業員が台車等を使用して当該タイルカーペットが山積みされている場所から、当該タイルカーペットを当該車台にランダムに積み替え、当該台車ごと適宜のトラックが待機するトラック駐車場まで移動して、当該剥取ったタイルカーペットを当該トラックにランダムに積み替えて、予め定められたタイルカーペットの廃棄処理場まで移送する。
【０００８】
然しながら、当該タイルカーペットの廃棄処理場で、当該使用済みのタイルカーペットを再生処理する事を予定している場合には、その処理方法に従って、当該タイルカーペットの素材、厚み、メーカー等によって、分別し、且つそれぞれの分別された各タイルカーペットは、相互に整列積層させて、その後の再生処理工程に供給される必要がなるので、当該使用済みのタイルカーペットを分別してそれぞれ異なる収納容器内に整列積層させておく必要がある。
【０００９】
然しながら、係る操作を当該作業員に行わせる事は、更に当該作業員の負担を増加させ、作業時間の延長或いは作業員の増加に必然的につながるので、作業コストの増加をきたす事になる。
【発明の概要】
【発明が解決しようとする課題】
【００１０】
従って、本発明の目的は、係る従来からの問題点を解決し、簡単な構成でありながら、作業員が立ったままの姿勢で、当該タイルカーペットを直接当該床面から剥ぎ取り、且つ当該床面から剥ぎ取ったタイルカーペットを作業員が手で持ったり、移動させることなく、所定のタイルカーペット収納容器に整列状に積層収納する事で、それによって回収した当該タイルカーペットをそのまま当該タイルカーペットの再生処理工程に提供することが可能なタイルカーペットの剥取り収納装置を提供するものである。
【課題を解決するための手段】
【００１１】
本発明は、上記目的を達成する為に、基本的には、以下に示す技術構成を有するタイルカーペットの剥取り収納装置であって、当該タイルカーペットの剥取り収納装置は、複数個の車輪部を有し、床面上或いはタイルカーペット表面上を走行しうる走行車両本体部、当該車輪部の少なくとも１つが、当該タイルカーペットの単位長の少なくとも半分の長さの周長を有する円盤状或いは円筒状の回転体部で構成されており、当該回転体部の表面上に設けられており、床面上に敷設されているタイルカーペットを、当該回転体部の回転に伴って、床面から離反させる機能を有するタイルカーペット剥取り手段、当該タイルカーペット剥ぎ取り手段から、当該床面から離反せしめられた当該タイルカーペットを分離する分離手段、当該回転体部に近接して設けられている、当該分離手段によって当該回転体部から離反せしめられた当該タイルカーペットを当該回転体部の回転方向に沿って所定の角度で上昇する所定の長さを持った傾斜部を有するタイルカーペット昇高案内手段、当該タイルカーペット昇高案内手段に於ける、当該回転体部に近接する端部とは反対側の端部に近接して設けられており、且つ当該タイルカーペット昇高案内手段から排出されるタイルカーペットを順次に積層格納するタイルカーペット収納容器、及び当該タイルカーペット収納容器を保持するためのタイルカーペット収納容器保持手段とから構成されており、当該カーペット剥取り手段、当該分離手段、当該タイルカーペット昇高案内手段及び当該収納容器保持手段とが当該走行車両本体部に直接的或は間接的に接続されて配置されているタイルカーペットの剥取り収納装置である。
【発明の効果】
【００１２】
本発明は、従来からの問題点を解決し、簡単な構成でありながら、作業員が立ったままの姿勢で、当該タイルカーペットを直接当該床面から剥ぎ取り、且つ当該床面から剥ぎ取ったタイルカーペットを作業員が手で持ったり、移動させることなく、所定のタイルカーペット収納容器に整列状に積層収納する事で、それによって回収した当該タイルカーペットをそのまま当該タイルカーペットの再生処理工程に提供することが可能なタイルカーペットの剥取り収納装置を提供する室内の改装工事の作業現場における各種作業とコストを合理化することを可能とするので、使用済みのタイルカーペットを床面から剥ぎ取り、収納容器に収納して当該タイルカーペットの再生処理工程に提供するという作業を、効率的で、作業員に負担をかけず、少人数の作業員で低コストで、タイルカーペットの剥ぎ取り作業が実行できるという作用効果を発揮する事が可能である。
【図面の簡単な説明】
【００１３】
【図１】図１は、本発明のタイルカーペットの剥取り収納装置の一具体例の構造を説明する側面図である。
【図２】図２は、本発明のタイルカーペットの剥取り収納装置の一具体例の構造を説明する斜視図である。
【図３】図３は、本発明のタイルカーペットの剥取り収納装置に使用される円盤状回転体の構成例を示す斜視図である。
【図４】図４は、本発明のタイルカーペットの剥取り収納装置に使用される円筒状回転体の構成例を示す斜視図である。
【図５】図５は、本発明のタイルカーペットの剥取り収納装置に使用されるタイルカーペットの剥取り手段の一具体例の構造を説明する図である。
【図６】図６は、本発明のタイルカーペットの剥取り収納装置に使用される回転体にタイルカーペットの剥取り手段を取り付けた場合の具体例の構造を説明する斜視図である。
【図７】図７は、本発明のタイルカーペットの剥取り収納装置に使用される回転体にタイルカーペットの剥取り手段を取り付けた場合の具体例の構造を説明する斜視図である。
【図８】図８は、本発明のタイルカーペットの剥取り収納装置に使用される分離手段の構成例を示す斜視図である。
【図９】図９は、本発明のタイルカーペットの剥取り収納装置に使用される分離手段の構成例を示す斜視図である。
【図１０】図１０は、本発明のタイルカーペットの剥取り収納装置に使用されるタイルカーペット収納手段の具体例の構造を説明する図である。
【図１１】図１１は、本発明のタイルカーペットの剥取り収納装置に使用されるタイルカーペットをタイルカーペット収納手段に収納する際に使用される補助ガイド部の具体例の構造を説明する斜視図である。
【図１２】図１２は、本発明のタイルカーペットの剥取り収納装置に使用されるタイルカーペットをタイルカーペット収納手段に収納する際に使用される補助ガイド部の具体例の構造を説明する斜視図である。
【図１３】図１３は、本発明のタイルカーペットの剥取り収納装置に使用されるタイルカーペット収納手段の昇降手段の具体例を示す図である。
【発明を実施するための形態】
【００１４】
以下に、本発明にかかるタイルカーペットの剥取り収納装置カの具体例の構成を、図面を参照しながら詳細に説明する。
【００１５】
即ち、図１は、本発明に係るタイルカーペットの剥取り収納装置１の一具体例の構成を示す図であって、図中、複数個の車輪部２を有し、床面３上或いはタイルカーペット表面上４を走行しうる走行車両本体部５、当該車輪部２の少なくとも１つが、当該タイルカーペット４の単位長の少なくとも半分の長さの周長を有する円盤状或いは円筒状の回転体部６で構成されたものであり、当該回転体部６の表面上に設けられており、床面上に敷設されているタイルカーペット４を、当該回転体部６の回転に伴って、床面３から離反させる機能を有するタイルカーペット剥取り手段７、当該タイルカーペット剥ぎ取り手段７から、当該床面３から離反せしめられた当該タイルカーペット４を分離する分離手段８、当該回転体部６に近接して設けられている、当該分離手段８によって当該回転体部６から離反せしめられた当該タイルカーペット４を当該回転体部６の回転方向に沿って所定の角度で上昇する所定の長さを持った傾斜部９を有するタイルカーペット昇高案内手段１０、当該タイルカーペット昇高案内手段１０に於ける、当該回転体部６に近接する端部とは反対側の端部に近接して設けられており、且つ当該タイルカーペット昇高案内手段１０から排出されるタイルカーペット４を順次に積層格納するタイルカーペット収納容器１１、及び当該タイルカーペット収納容器１１を保持するため当該走行車両本体部５に設けられたタイルカーペット収納容器保持手段１２、とから構成されており、当該カーペット剥取り手段７、当該分離手段８、当該タイルカーペット昇高案内手段１０及び当該収納容器保持手段１２とが当該走行車両本体部５に直接的或は間接的に接続されて配置されているタイルカーペットの剥取り収納装置１が示されている。
【００１６】
本発明に於ける当該走行車両本体部５は、適宜の板状体、或は箱体で構成されているものであっても良く或は、図１に示す様な枠状体部で構成されているものであっても良い。
又、本発明に於ける当該走行車両本体部５には、例えば電動モーター或はエンジン等の適宜の駆動手段１３が搭載されていても良く、それによって当該走行車両本体部５が自走可能に構成されているものであっても良い。
【００１７】
本発明に於ける当該走行車両本体部５に設けられている当該車輪部２の構成は、特に限定されないが、例えば、当該走行車両本体部５の進行方向側に配置される当該車輪部２は、キャスターであっても良く、或いは車軸が進行方向と直交する様な方向に固定された複数個の車輪であっても良い。
【００１８】
又、当該進行方向側に配置される当該車輪部２は、適宜の制御装置を介して、当該走行車両本体部５の進行方向が予め定められた進行方向を常時測定或いは検出しながら当該特定の進行方向に指向されるように制御する制御手段により制御される機構を搭載したものであっても良い。
【００１９】
又、当該走行車両本体部５の進行方向に対して後側に位置する当該車輪部２は、当該タイルカーペット４の単位長の少なくとも半分の長さの周長を有する、即ち、当該走行車両本体部５の進行方向の前方部に設けられた当該車輪部２の直径よりも大きな直径を有する円盤状或いは円筒状の回転体部６で構成されていることが望ましい。
【００２０】
本発明に於いて、当該円盤状回転体部２０が使用される場合には、図３に示す様に、複数個の同一形状を持つ円盤状回転部２０が当該走行車両本体部５の進行方向に直交する車軸２１に略同一の間隔を介して固定されているものである。
【００２１】
一方、本発明に於いて、当該円筒状回転体部２２が使用される場合には、図４に示す様に、当該円筒状回転部２２が当該走行車両本体部５の進行方向に直交する車軸２３に固定されているものである。
【００２２】
尚、本発明に於いては、当該回転体部は、何れも当該車軸に対して回転自在に取り付けられているものであってもよく、或いは当該車軸に固定されて取り付けられているものであってもよく、その場合には、当該車軸を例えば電動モータ或いはエンジン手段等の適宜の駆動手段１３を使用して積極回転させて、当該走行車両本体部５を自走させる事も可能である。
【００２３】
そうでない場合には、当該走行車両本体部５の適宜の部分に、作業員が当該走行車両本体部５を移動させる適宜のハンドル部１４が設けられているものである。
更に、本発明では、当該車輪部２がタイルカーペット表面を移動し、当該回転体部６が床面を移動する場合、又その逆の場合の何れにおいても、当該走行車両本体部５が水平に維持されるような機構を有することも望ましい具体例である。
【００２４】
本発明に於ける当該タイルカーペット剥取り手段７は、図５に示す様に、当該タイルカーペット４の表面に形成されているループパイル２５と係合しうるフック状部２８を先端部に有する複数本のパイル群２７を植設した布帛体２６或いは細幅帯状体２６で構成されたものであり、当該布帛体或いは当該細幅帯状体２６が当該回転体部６の周長方向の全表面に適宜の接着剤等を介して接合配置されたものである。
【００２５】
本発明に於いては、図６（Ａ）に示す様に、当該回転体部６が円盤状の回転体部２０である場合には、当該円盤状回転体部２０の幅方向の全面に当該タイルカーペット剥取り手段７を接合配置したものであってもよく、又、図６（Ｂ）に示す様に、当該円盤状回転体部２０の幅方向の一部のみに当該タイルカーペット剥取り手段７を接合配置したものであっても良い。
【００２６】
一方、当該回転体部６が円筒状回転体部２２である場合には、図７（Ａ）に示す様に、当該円筒状回転体部２２の幅方向の全面に当該タイルカーペット剥取り手段７を接合配置したものであってもよく、又、図７（Ｂ）に示す様に当該円筒状回転体部２２の幅方向に所定の間隔を空けて、複数本の細幅帯状体からなる当該タイルカーペット剥取り手段７を並列的に配置したものであっても良い。
【００２７】
本発明に於いては、係る構成を採用する事によって、当該走行車両本体部５を移動させることにより当該回転体部６が当該タイルカーペット上を回転しながら走行する際に、当該床面に配置されている当該タイルカーペットを一つ一つ当該回転体部６に設けられた当該タイルカーペット剥取り手段７の当該フック状部２８を有するパイル群２７が、当該タイルカーペット４の表面に形成されているループ状パイルと係合して、当該床面から当該タイルカーペットを引き剥がし、当該回転体部６の円周面に沿って上方に巻き上げられることになる。
【００２８】
その後、本発明に於ける当該タイルカーペットの剥取り収納装置１に於いては、当該タイルカーペット剥取り手段７によって床面３から剥離され、当該タイルカーペット剥取り手段７の当該回転体部６の回転に従って当該床面から持ち上げられた当該タイルカーペット４を当該タイルカーペット剥取り手段７から分離させる為に、金属或いはプラスチック等からなる適宜の硬質材料で形成された板状のブレード部２９からなる分離手段８を所定の角度を以って、当該タイルカーペット剥取り手段７の当該円盤状若しくは円筒状の回転体部６の所定の部位の表面に近接して配置するものである。
【００２９】
当該分離手段８は、当該回転体部６が円筒状回転体部２２である場合には、図８（Ａ）に示す様に、当該筒状回転体部２０に近接して配置される当該板状のブレード部２９の先端部３２は、直線状に形成されているものであっても良く、図８（Ｂ）に示す様に、凹凸部３３が形成されているものであっても良い。
【００３０】
更に、当該分離手段８の先端部は、断面が先鋭状に形成され刃状態を形成しているものであっても良く、又、当該分離手段８の先端部は、当該タイルカーペット剥取り手段７を構成するフック状パイル２７で形成されているパイル層内に嵌入させておく事も可能である。
【００３１】
一方、当該分離手段８は、当該回転体部６が円盤状回転体部２０である場合には、図９（Ａ）に示す様に、当該それぞれの円盤状回転体部２０に近接して或は当接させて、直径方向に対して所定の角度を以って固定配置される当該板状のブレード部２９で構成されるものであっても良く、又、図９（Ｂ）に示す様に、当該板状のブレード部２９に加えて、当該各円盤状回転体部２０間隙部に、当該板状のブレード部２９の配置角度とは異なる配置角度をもつ別の板状のブレード部からなる付加補助分離板３０を付加的に配置するものであっても良い。
【００３２】
係る具体例に於いては、当該付加補助分離板３０の長さを当該板状のブレード部２９の長さよりも長く形成し、当該付加補助分離板３０を当該板状のブレード部２９の配置位置よりも下方に深く入れ込ませて配置すると共に、当該直径方向に対する設定角度をブレード部２９の設定角度よりも大きくなる様に固定配置されている事が望ましい。
【００３３】
即ち、本具体例では、当該付加補助分離板３０の方を当該剥ぎ取り手段７によって運ばれてきた当該タイルカーペット４を当該板状のブレード部２９に接触させるよりも先に接触させ、当該分離作用を主として当該付加補助分離板３０に実行させるものであり、当該板状のブレード部２９は、補助的な分離作用を荷っている。
【００３４】
その為、場合によっては、当該板状のブレード部２９は、当該板状のブレード部２９の先端部位置において横一列に形成した１枚の板状体或は１本の棒状体で構成する事も出来る。
【００３５】
更に、本発明に於いては、当該分離手段８に近接して、当該床面から剥離された当該タイルカーペットを、当該分離手段８の頂点位置よりも更に高度な位置に上昇させて移送する為の昇高案内手段１０が配置されており、当該昇高案内手段１０は、適宜の支持手段３４を介して当該走行車両本体部５に保持固定されているものであって、当該昇高案内手段１０には、当該分離手段８によって当該回転体部６から離反せしめられた当該タイルカーペット４を当該回転体部６の回転方向に沿って所定の角度で上昇する所定の長さを持った傾斜部９が設けられている。
【００３６】
つまり、当該分離手段８によって当該回転体部６から離反せしめられた当該タイルカーペット４は、当該回転体部６の回転動作によって、押し上げられて来る、それぞれ後続するタイルカーペット４による押し上げ力によって、前進せしめられるので、当該傾部９には、特に移動手段が存在しなくとも、摩擦係数の小さい部材で構成されている限り、当該タイルカーペットは、順次当該昇高案内手段１０の当該傾斜部９に沿って上昇移動する事が可能である。
【００３７】
本発明に於ける当該傾斜部９には、必要によって、単なる平板で構成されていてもよく、或いは、複数個の積極的に回転する回転ローラ若しくは自由回転式ローラが相互に並列配置された面で構成しても良く、或いは、積極的に移動するコンベア式ベルトを使用する事も可能である。
【００３８】
本発明に於ける当該タイルカーペット昇高案内手段１０に於ける当該傾斜部９の長さ及び当該傾斜部の当該走行車両本体部６に対する角度等は、任意に設定する事が可能である。
尚、当該走行車両本体部６、当該分離手段８及び当該タイルカーペット昇高案内手段１０の幅は、当該タイルカーペット４の規格長さと同一或いはそれよりも若干長い幅に設定されている事が望ましい。
【００３９】
次に、本発明に於いては、当該タイルカーペット昇高案内手段１０の当該分離手段８に対向する当該傾斜部９の端部とは反対側の端部３６の下方部で当該タイルカーペット昇高案内手段１０に近接した位置で且つ当該走行車両本体部５の一部に、タイルカーペット収納容器１１が設けられているものであり、当該タイルカーペット収納容器１１は、当該タイルカーペット昇高案内手段１０から排出される当該タイルカーペット４を順次に整列状に積層しながら収納する機能を有する収納容器１１であって、当該収納容器１１は、図１０に示す様に、当該カーペットタイル４の形状と寸法を有する矩形の底板部３７と、当該底板部３７の周縁部に於ける４辺のそれぞれから略垂直に立設されている所定の高さを有する４枚の側壁部３８とから構成されるか、或いは、少なくともカーペットタイルの形状と寸法を有する矩形の底板部３７と、当該底板部３７の周縁部に於ける連続する２辺のそれぞれから当該底板部３７の当該走行車両本体部５と接触する表面とは異なる表面から略垂直に立設されている所定の高さを有する第１の側壁部３９と第２の側壁部４０とから構成されると共に、当該底板部３７の周縁部に於けるその他の連続する２辺には、側壁部が設けられていない様に構成されているものであっても良い。
【００４０】
当該走行車両本体部５には、当該タイルカーペット収納容器１１を搭載する当該タイルカーペット収納容器搭載部４１が設けられていると同時に、当該パイルカーペット収納容器搭載部４１には、当該タイルカーペット収納容器１１を着脱自在に保持しうる着脱自在保持手段１２が設けられると共に、当該走行車両本体部５には、当該タイルカーペット収納容器１１の転倒を防止する為の当該タイルカーペット収納容器支持手段４２が設けられている事も好ましい。
【００４１】
又、当該タイルカーペット昇高案内手段１０と当該タイルカーペット収納容器１１との間に、当該タイルカーペット昇高案内手段１０から排出される当該タイルカーペット４の表裏面を反転させる為の、タイルカーペット反転手段４５が設けられている事も望ましい。
【００４２】
当該タイルカーペット反転手段４５としては、例えば、落下してくる当該タイルカーペットの落下軌道の一部に適宜のロッド状部材を横置き状に配置したものであっても良い。
一方、本発明に係る当該タイルカーペットの剥取り収納装置１に於いては、当該タイルカーペット収納容器１１内に収納されたそれぞれのタイルカーペットを適宜の再生処理工程に効率的に供給する為、当該タイルカーペット４は、当該タイルカーペット収納容器１１内に、上下方向に整列した状態で積層堆積させておく事が必要である。
【００４３】
つまり当該タイルカーペット収納容器１１内に収納されたそれぞれのタイルカーペット４の端部或は角部がずれあって積層されることは回避する必要があり、その為に、当該タイルカーペット昇高案内手段１０と当該タイルカーペット収納容器１１との間に、当該タイルカーペット収納容器１１内に落下する当該タイルカーペット４が順次にその端部或は角部が上下方向に一致する様に、整列状に積層されるように当該タイルカーペット４を案内する補助ガイド４６が設けられている事が好ましい。
【００４４】
当該補助ガイド４６は、その形状や構造は、特定されるものではないが、図１１或は図１２に示す様な、当該タイルカーペット４の端縁部が接触しながら摺動落下し、当該タイルカーペット４を所定の場所に堆積させうる部材で構成されるものであっても良い。
【００４５】
又、本発明に於いては、当該走行車両本体部５には、図１３に示す様に、当該タイルカーペット収納容器１１に収納された当該タイルカーペット４の量に応じて、当該タイルカーペット収納容器１１の上下方向の存在位置を昇降させる昇降手段４７を有する事も望ましい具体例である。
【００４６】
本発明に於ける当該昇降手段４７は、例えば適宜のスプリング部材で構成されているものであってもよく、当該タイルカーペット収納容器１１に収納された当該タイルカーペット４の量が増加するに従って、当該タイルカーペット収納容器１１の底板部３７を漸次降下させることによって、当該タイルカーペット収納容器１１内に落下してくる当該タイルカーペット４の落下距離を短くし、当該タイルカーペット４の収納時の配置位置の調整を容易にする事が可能となる。
【００４７】
尚、上記具体例では、当該走行車両本体部５の進行方向に設けた車輪２が当該走行車両本体部５の進行方向の後ろ側に設けた回転体部６よりも直径が小さくなるように構成されているが、別の具体例では、当該走行車両本体部５の進行方向の当該車輪２と後側の回転体部６とを入れ替えて使用する事も可能である。
【００４８】
つまり、上記の具体例としては、当該回転体部６が、当該走行車両本体部５の進行方向側に設けられ、当該タイルカーペット収納容器の配置位置を作業員の手押しハンドル部の近傍に設ける様に構成する事が可能である。
【００４９】
係る具体例に於いては、当該分離手段８と当該昇高案内手段１０との間に、タイルカーペットの進行方向を反転状態に近い角度で変更させる適宜のタイルカーペット進行方向変換案内手段を別途設ける事が必要となる。
【００５０】
更に、本発明に於いては、当該走行車両本体部を自動走行させることも可能であり、その為に、例えば、当該走行車両本体部５に設けられている当該回転体部６を構成する以外の当該車輪部２の少なくとも１つに、当該走行車両本体部５の予め定められた進行方向を維持する為の、走行方向維持調整手段４８が設けられている事も好ましい具体例である。
【００５１】
当該走行方向維持調整手段４８としては、例えば、床面に配置されている複数のタイルカーペット間に形成されている接続線を光学的に検知して当該接続線を基準値として、当該接続点からの乖離状態を読み出して当該乖離状態を０にするように当該車輪２の進行方向を調整するという方式を採用する事も可能であり、又、本発明に於ける当該タイルカーペット剥ぎ取り手段７を構成する回転体部６の一部の部位を基準点に設定し、当該タイルカーペット剥ぎ取り手段７により剥ぎ取られたタイルカーペットの側縁端部と当該基準点との間の距離を常時測定し、当該距離が一定となる様に、当該車輪２の進行方向を調整するという方式を採用することも可能である。
【符号の説明】
【００５２】
１：タイルカーペットの剥取り収納装置
２：車輪部
３：床面
４：タイルカーペット表面
５：走行車両本体部
６：回転体部
７：タイルカーペット剥ぎ取り手段
８：分離手段
９：傾斜部
１０：タイルカーペット昇高案内手段
１１：タイルカーペット収納容器
１２：タイルカーペット収納容器保持手段
１３：駆動手段
１４：ハンドル部
２０：円盤状回転体部
２１：車軸
２２：円筒状回転体部
２３：車軸
２５：ループパイル
２７：パイル群
２６：布帛体、細幅帯状体
２９：ブレード部
３２：ブレード部の先端部
３３：凹凸部
３０：付加分離板
３４：支持手段
３６：端部
３７：底板部
３８：側壁部
３９：第１の側壁部
４０：第２の側壁部
４１：タイルカーペット収納容器搭載部
４２：タイルカーペット収納容器支持手段
４５：タイルカーペット反転手段
４６：補助ガイド
４７：昇降手段
４８：走行方向維持調整手段
【図１】
2010222851.tif 000003
【図２】
2010222851.tif 000004
【図３】
2010222851.tif 000005
【図４】
2010222851.tif 000006
【図５】
2010222851.tif 000007
【図６】
2010222851.tif 000008
【図７】
2010222851.tif 000009
【図８】
2010222851.tif 000010
【図９】
2010222851.tif 000011
【図１０】
2010222851.tif 000012
【図１１】
2010222851.tif 000013
【図１２】
2010222851.tif 000014
【図１３】
2010222851.tif 000015